(57)【要約】【課題】クラウンの開閉が容易であり、かつ簡単な構成の帽子を提供する。【解決手段】使用者の頭部を囲繞する囲繞部と、前記囲繞部に結合されたひさしと、前記ひさし及び前記囲繞部又はそれらのいずれかに一部が結合された折り畳み可能なクラウンとを備え、前記ひさし及び前記囲繞部又はそれらのいずれかと前記クラウンとの結合部は、前記使用者の額から側頭部に亘る範囲に対応する領域に設けられ、前記クラウンは、前記ひさし及び前記囲繞部又はそれらのいずれかとの結合部に向かって巻取り状に折り畳み可能であるようにする。【選択図】図１６
2012162827.tif 000002
【特許請求の範囲】
【請求項１】
使用者の頭部を囲繞する囲繞部と、
前記囲繞部に結合されたひさしと、
前記ひさし及び前記囲繞部又はそれらのいずれかに一部が結合された折り畳み可能なクラウンとを備え、
前記ひさし及び前記囲繞部又はそれらのいずれかと前記クラウンとの結合部は、前記使用者の額から側頭部に亘る範囲に対応する領域に設けられ、
前記クラウンは、前記ひさし及び前記囲繞部又はそれらのいずれかとの結合部に向かって巻取り状に折り畳み可能であることを特徴とする帽子。
【請求項２】
前記クラウンと前記囲繞部との間には、前記折り畳まれたクラウンを収納する空隙が形成されることを特徴とする請求項１に記載の帽子。
【請求項３】
前記クラウンの前記ひさし及び前記囲繞部又はそれらのいずれかとの結合部から前記使用者の前頭部に対応する所定範囲に亘って、前記クラウンに併設される硬質部が設けられていることを特徴とする請求項１又は請求項２に記載の帽子。
【請求項４】
前記囲繞部には、前記クラウンが折り畳まれて収納される空間に沿う部位に、切れ込み部が形成されていることを特徴とする請求項１乃至請求項３のいずれかに記載の帽子。
【発明の詳細な説明】
【技術分野】
【０００１】
本発明は、例えば、ゴルフ等のスポーツにおいて使用される帽子に関する。
【背景技術】
【０００２】
従来、ゴルフ等のスポーツを行う際には、頭頂部を覆うクラウンとひさしとを有する帽子を被ることにより、プレーヤの頭頂部や目を直射日光から守るようになっている。
【０００３】
このような帽子においては、プレーヤの頭頂部を覆うクラウンを有することにより、プレーヤの体温の上昇に伴って、クラウンにより覆われた頭頂部に熱がこもって当該帽子を使用するプレーヤに不快感を与えることがある。特に、スポーツを行っている場合等、体温が上昇し易い状況において帽子を使用すると、クラウンによって覆われた頭頂部に熱がこもり易くなる問題があった。
【０００４】
一方、使用者の額や目を直射日光から守ることを目的としたいわゆるサンバイザーがある。サンバイザーは、使用者の頭部の周囲を囲繞するバンドとこのバンドの一部に設けられたひさしとから構成されており、頭頂部を覆うクラウンを有しないことから、頭頂部に熱がこもることによる不快感を低減し得ると考えられる。
【０００５】
しかしながら、帽子やサンバイザーの使用者は、環境温度、風の強弱、直射日光の状態、自身の体温等によって、クラウンを有する帽子を必要とすることもあれば、クラウンの無いサンバイザーを必要とすることもあり、その都度使用者の状況に応じてこれらを使い分けるためには、常に帽子及びサンバイザーの両方を所持する必要があり煩わしかった。
【０００６】
かかる問題点を解決するための一つの方策として、クラウンを開閉可能とする構成の帽子が考えられている（特許文献１〜４参照）。
【０００７】
これらの帽子においては、環境温度や使用者の状況に応じて、クラウンを開閉することができ、使用者の頭頂部を覆うようにクラウンをセットした状態では、頭頂部を覆う帽子として、また、頭頂部を開放するようにクラウンを収納した状態では、サンバイザーとして使用することができ、帽子及びサンバイザーの両方を持ち歩く必要がなくなると考えられる。
【０００８】
このような構成の従来の帽子においては、クラウンを蛇腹状に折り畳む構成（特許文献１〜特許文献３）又はクラウンとなる布状の部分を収納する収納部を新たに設ける構成（特許文献４）により、クラウンを使用しない場合には、これを帽子から分離させることなく、折り畳み又は収納部に収納することができ、帽子からクラウンを取り外す必要がなくなる。この結果、取り外されたクラウンを持ち歩くといった煩わしさがなくなると共に、取り外されたクラウンを紛失することを回避することができると考えられる。
【先行技術文献】
【特許文献】
【０００９】
【特許文献１】実公平４−３５３８７号公報
【特許文献２】実公平２−３２６６３号公報
【特許文献３】実開平１−１４７２１８号公報
【特許文献４】実開昭６４−７２２７号公報
【発明の概要】
【発明が解決しようとする課題】
【００１０】
しかしながら、特許文献１の帽子においては、クラウンを収納するための構成として、多数の弾性条体をクラウン内に広げて逢着するといった複雑な構成となる問題があった。
また、特許文献２及び特許文献３においては、クラウンを収納するための構成として、ヒンジ手段といった複雑な構成を追加する必要があり、帽子全体としての構成が複雑化することを避け得ない問題があった。
【００１１】
また、特許文献４においては、頭部を覆う布帛からなるやま（クラウン）をやま収納部内に収納する構成となっているが、新たにやま収納部を設ける必要があると共に、やまをやま収納部に収納する作業が煩わしい問題があった。
【００１２】
そこで、本発明は、クラウンの開閉が容易であり、かつ簡単な構成の帽子を提供することを目的とする。
【課題を解決するための手段】
【００１３】
本発明の実施の形態に係る特徴は、帽子において、使用者の頭部を囲繞する囲繞部と、前記囲繞部に結合されたひさしと、前記ひさし及び前記囲繞部又はそれらのいずれかに一部が結合された折り畳み可能なクラウンとを備え、前記ひさし及び前記囲繞部又はそれらのいずれかと前記クラウンとの結合部は、前記使用者の額から側頭部に亘る範囲に対応する領域に設けられ、前記クラウンは、前記ひさし及び前記囲繞部又はそれらのいずれかとの結合部に向かって巻取り状に折り畳み可能であることである。
【００１４】
この構成においては、クラウンとひさし及び囲繞部又はそれらのいずれかとの結合部が、使用者の額から側頭部に亘る範囲に対応する曲線状の領域に設けられ、さらにクラウンを巻取り状に折り畳むことができることにより、特別な止め具を用いることなく、巻き取られたクラウンの収納状態を保持することができる。
【００１５】
また、本実施の形態に係る特徴は、上記構成において、前記クラウンと前記囲繞部との間には、前記折り畳まれたクラウンを収納する空隙が形成されることである。
【００１６】
この構成においては、折り畳まれたクラウンを、囲繞部とクラウンとの間に形成される空隙に収納することができ、特別な部材を用いることなく、収納部を確保することができる。
【００１７】
また、本実施の形態に係る特徴は、上記構成において、前記クラウンの前記ひさし及び前記囲繞部又はそれらのいずれかとの結合部から前記使用者の前頭部に対応する所定範囲に亘って、前記クラウンに併設される硬質部が設けられていることである。
【００１８】
この構成においては、クラウンのひさし及び囲繞部又はそれらのいずれかとの結合部から所定範囲に亘って硬質部が設けられることにより、折り畳んだクラウンを硬質部に沿うように容易に収納することができる。
【００１９】
また、クラウンに設けられた硬質部がクラウンを折り畳んだ際の形状を決定することとなり、クラウンを折り畳んでサンバイザーとして使用する際の形状を、予め定められた所定の形状とすることができる。
【００２０】
また、本実施の形態に係る特徴は、上記構成において、前記囲繞部には、前記クラウンが折り畳まれて収納される空間に沿う部位に、切れ込み部が形成されていることである。
【００２１】
この構成においては、クラウンを折り畳んだ際に、当該クラウンに囲繞部が押されることによって囲繞部に皺がよることを防止することができる。
【発明の効果】
【００２２】
本発明によれば、クラウンの開閉が容易であり、かつ簡単な構成の帽子を提供することができる。
【図面の簡単な説明】
【００２３】
【図１】本実施の形態の帽子のクラウン使用状態を示す斜視図である。
【図２】クラウン使用状態の正面図である。
【図３】クラウン使用状態の背面図である。
【図４】クラウン使用状態の平面図である。
【図５】クラウン使用状態の底面図である。
【図６】クラウン使用状態の右側面図である。
【図７】クラウン折畳み状態を示す斜視図である。
【図８】クラウン折畳み状態の正面図である。
【図９】クラウン折畳み状態の背面図である。
【図１０】クラウン折畳み状態の平面図である。
【図１１】クラウン折畳み状態の底面図である。
【図１２】クラウン折畳み状態の右側面図である。
【図１３】図４のＡ−Ａ線を断面にとって示すクラウン縫合部の部分的断面図である。
【図１４】クラウンの縫合範囲を示す平面図である。
【図１５】パッドの併設状態を示す斜視図である。
【図１６】クラウンの折畳み方法の説明に供する右側面図である。
【図１７】クラウンの折畳み方法の説明に供する部分的断面図である。
【図１８】図１０のＢ−Ｂ線を断面にとって示すクラウン折畳み状態の断面図である。
【図１９】クラウンの前部を内側から見た状態を示す背面図である。
【図２０】切欠部を拡大して示す図である。
【図２１】切欠部の説明に供する略線的平面図である。
【図２２】クラウンを外側に折り返す折畳み方法の説明に供する部分的断面図である。
【図２３】クラウンを外側に折り返した折畳み状態を示す斜視図である。
【図２４】バンドを用いない構成を示す断面図である。
【発明を実施するための形態】
【００２４】
以下に、本発明に好適な実施形態について図面に基づいて説明する。
【００２５】
（実施の形態）
図１は、本実施の形態に係る帽子１０のクラウン１３（後述）を広げて使用者の頭頂部を覆う帽子として用いられる状態（クラウン使用状態）を示す斜視図であり、図２は、帽子１０のクラウン使用状態を示す正面図であり、図３は、帽子１０のクラウン使用状態を示す背面図であり、図４は、帽子１０のクラウン使用状態を示す平面図であり、図５は、帽子１０のクラウン使用状態を示す底面図であり、図６は、帽子１０のクラウン使用状態を示す右側面図である。
【００２６】
また、図７は、本実施の形態に係る帽子１０のクラウン１３（後述）を折り畳んで使用者の頭頂部を開放したサンバイザーとして用いられる状態（クラウン折畳み状態）を示す斜視図であり、図８は、帽子１０のクラウン折畳み状態を示す正面図であり、図９は、帽子１０のクラウン折畳み状態を示す背面図であり、図１０は、帽子１０のクラウン折畳み状態を示す平面図であり、図１１は、帽子１０のクラウン折畳み状態を示す底面図であり、図１２は、帽子１０のクラウン折畳み状態を示す右側面図である。
【００２７】
図１〜図１２に示すように、帽子１０は、使用者の頭部を囲繞するバンド１１（図７〜図１２）と、バンド１１の一部に縫合されたひさし１２と、バンド１１又はひさし１２に縫合されたクラウン１３とを有している。バンド１１、ひさし１２及びクラウン１３は、それぞれ布材により形成されている。ひさし１２は、その内部に心材を有し、所定の形状を保つようになっている。クラウン１３は、柔らかな布材によって、折り畳み自在となっている。また、バンド１１は、その一部に、調整部１４が設けられており、使用者の頭部の大きさに合わせて、バンド１１の長さを調整し得るようになっている。
【００２８】
本実施の形態においては、クラウン１３は、バンド１１とひさし１２との縫合部に縫合されている。具体的には、図１３に示すように、バンド１１の下側縁部１１Ａに沿ってひさし１２が縫合されており、さらに当該下側縁部１１Ａに沿って、クラウン１３が縫合されている。因みに、バンド１１の内側には、すべり１５と呼ばれる帯状の布材が設けられており、汗取り機能等を発揮するようになっている。なお、クラウン１３は、ひさし１２及びバンド１１の両方、又はそれらのいずれかと縫合される。
【００２９】
図１４に示すように、クラウン１３がバンド１１に縫合される範囲は、バンド１１が使用者の頭部に装着された際に、使用者の額から側頭部に亘る範囲に対応する領域ＡＲ１１となっている。これにより、バンド１１とクラウン１３とは、額から側頭部にかけての曲線状に湾曲した部分で縫合された状態となっている。
【００３０】
また、図１３に示すように、クラウン１３の内側には、当該クラウン１３とバンド１１との縫合部に縫合されたパッド（硬質部）２３が、クラウン１３に併設されている。本実施の形態の場合、クラウン１３とひさし１２（バンド１１）との縫合部にパッド２３の下側縁部２３Ａが縫合されている。図１５に示すように、パッド２３は、クラウン１３とひさし１２（バンド１１）とが互いに縫合される縫合部から使用者の前頭部に対応する所定範囲に亘って設けられている。所定範囲とは、帽子１０を装着した状態で、使用者の前頭部の少なくとも一部に対応する領域を意味する。
【００３１】
ここで、クラウン１３は、その前部１３Ａがひさし１２（バンド１１）に縫合されているのに対して、その後部１３Ｂは、バンド１１に縫合されていない。クラウン１３の後部１３Ｂの内側にはホック（留め金）２１Ａ（図３、図５））が設けられており、バンド１１の後部の外周面には、ホック２１Ａに対応したホック２１Ｂ（図９、図１２）が設けられている。ホック２１Ａ、２１Ｂは互いに着脱可能な関係にあり、クラウン１３を広げてホック２１Ａをホック２１Ｂに止めることにより、クラウン１３の後部をバンドに固定することができる。クラウン１３の後部がバンド１１に固定された状態においては、広げられたクラウン１３によって、使用者の頭頂部を覆うことができる。ホック２１Ａ、２１Ｂとしては、丸型のもの又は鉤状のものなど、種々の種類のものを用いることができる。
【００３２】
また、ホック２１Ａ、２１Ｂを外してクラウン１３を内側に巻取り状に折り畳むことにより、折り畳まれたクラウン１３を、当該クラウン１３のひさし１２（バンド１１）との縫合部近傍に収納することができる。「巻取り状に折り畳む」とは、クラウン１３を一方向に折り畳みながら巻き取るように収納することを意味する。
【００３３】
具体的には、例えば図１６に示すように、クラウン１３が広げられてホック２１Ａ、２１Ｂが互いに係合された状態において（図１６（ａ））、ホック２１Ａ、２１Ｂを外し（図１６（ｂ））、まず、クラウン１３をその後部１３Ｂから所定の幅で内側へ折り返すことにより、１回目の折畳みを行う（図１６（ｃ））。１回目の折畳みが行われた状態の断面を図１７（ａ）に示す。この状態においては、折り返されたクラウン１３の後部１３Ｂは、クラウン１３の前方（前部１３Ａ）の内側へ折り返された状態となる。
【００３４】
１回目の折畳み状態（図１６（ｃ）、図１７（ａ））においては、クラウン１３の後部１３Ｂは、パッド２３とクラウン１３との間に折り返された状態となる。なお、１回目の折畳みにおいて、クラウン１３の後部１３Ｂを、パッド２３とバンド１１との間に折り返すようにしてもよい。
【００３５】
１回目の折畳みにより生じた折り目１３Ｃを、さらに内側へ折り返すことにより、２回目の折り畳みを行う（図１６（ｄ））。２回目の折畳みが行われた状態の断面を図１７（ｂ）に示す。この場合、１回目の折り目１３Ｃは、クラウン１３の前方の内側へ折り返された状態となる。
【００３６】
この状態において、２回目の折畳みにより生じた折り目１３Ｄを、さらに内側へ折り返すことにより、３回目の折畳みを行う（図１６（ｅ））。３回目の折畳みが行われた状態の断面を図１７（ｃ）に示す。この場合、折り返されたクラウン１３の２回目の折り目１３Ｄは、クラウン１３の前方の内側へ折り返された状態となる。
【００３７】
かくして、図１８に示すように、クラウン１３は、その前部１３Ａにおいて、内側に巻き取るように折り畳まれる。
【００３８】
ここで、図１３に示したように、クラウン１３は、バンド１１の下側縁部１１Ａに沿って縫合されていることにより、クラウン１３の前部１３Ａとバンド１１との間には、上部が開いたＶ字状の空隙が形成される。巻取り状に折り畳まれたクラウン１３は、クラウン１３の前部１３Ａとバンド１１との間の当該空隙に収納される。
【００３９】
なお、本実施の形態の場合、具体的には、クラウン１３とバンド１１との間に介挿されるパッド２３は、バンド１１の下側縁部１１Ａに沿ってクラウン１３、バンド１１及びひさし１２（又はそれらのいずれか）に縫合されていることにより、クラウン１３の前部１３Ａとパッド２３との間、及びパッド２３とバンド１１との間に、それぞれ上部が開いた空隙が形成される。
【００４０】
これにより、巻取り状に折り畳まれたクラウン１３は、クラウン１３の前部１３Ａとパッド２３との間、又は、パッド２３とバンド１１との間に収納されることになる。
【００４１】
パッド２３は、樹脂又は繊維を束ねたもの等の硬質材で形成され、クラウン１３に併設されていることにより、折り畳まれたクラウン１３は、パッド２３に沿って収納される。硬質なパッド２３に沿うように、折り畳まれたクラウン１３を収納することにより、収納作業を容易に行うことができる。なお、本実施の形態のパッド２３は、網目状に形成されるが、これに限られるものではない。
【００４２】
また、硬質なパッド２３は、クラウン１３を折り畳んで収納した際の形状を決定することとなり、クラウン１３を折り畳んで帽子１０をサンバイザーとして使用する際の形状を、予め定められた所定の形状とすることができる。すなわち、クラウン１３を折り畳んで収納した状態の形状を、常に同じ形状とすることができる。クラウン１３を収納する部位は、クラウン１３の前部１３Ａの内側であり、この部分は、使用者の額に対応する部分である。使用者の額に対応する部分は、帽子１０の正面から見て、目立つ部分であり、このような目立つ部分の形状を常に同じ形状とすることにより、例えば、当該部分にロゴマークを付すことにより、常にロゴマークが見えるようにすることができる。
【００４３】
図１９は、クラウン１３を折り畳んだクラウン折畳み状態の、クラウン１３の前部１３Ａを内側から見た状態を示す図であり、図２０は、その拡大図である。また、図２１は、帽子１０のバンド１１及びひさし１２のみを示す略線的平面図である。図２１においては、クラウン１３を省略して示している。また、図２１において、バンド１１は、切欠部１１Ｂの状態を分かり易く示すために、実際の厚みよりも厚く示している。
【００４４】
図１９、図２０及び図２１に示すように、バンド１１の前部には、クラウン１３が折り畳まれて収納される空隙に沿う部位に、Ｖ字状の切欠部１１Ｂが形成されている。クラウン１３とバンド１１との間に、折り畳まれたクラウン１３が収納された状態においては、折り畳まれたクラウン１３の厚み分だけ、バンド１１が内側に押されることになるが、図２１に示すように、切欠部１１Ｂが閉じることによって、バンド１１に皺がよることを抑制することができる。すなわち、バンド１１は、調整部１４と共に、円形に配置されているため、切欠部１１Ｂが形成されていないとすると、バンド１１が円形の内側に押されることで、バンド１１に皺がよるが、本実施の形態の帽子１０では、切欠部１１Ｂが形成されていることにより、図２１において一点鎖線で示すように、バンド１１が円形の内側に押されても、その径の変化分を切欠部１１Ｂが閉じることで吸収でき、これにより、バンド１１に皺がよることを防止できる。
【００４５】
以上説明した構成の帽子１０において、使用者がクラウン１３を広げることにより、クラウン使用状態とすることができる。使用状態においては、クラウン１３によって使用者の頭部が覆われる。
【００４６】
また、クラウン１３を巻取り状に折り畳むことにより、使用者の頭部を露出させることができる。クラウン１３を折り畳む場合、バンド１１とクラウン１３とが、クラウン１３の前部１３Ａにおいてのみ縫合されていることにより、クラウン１３の後部１３Ｂから前方に向かって、当該クラウン１３を巻き取るように折り畳むことができる。クラウン１３の後部１３Ｂは、クラウン１３を形成する布材の一部であり、柔らかい材質で形成されている。これにより、クラウン１３を前方に向かって容易に巻取ることができる。
【００４７】
折り畳まれたクラウン１３は、クラウン１３とバンド１１との間の空隙に収納される。この収納状態においては、折り畳まれたクラウン１３が、当該クラウン１３の前部１３Ａと、バンド１１とによって挟まれた状態となること、及び、クラウン１３とひさし１２（バンド１１）の縫合部が、使用者の前頭部から側頭部に渡る曲線状の範囲であることにより、特別な保持機構を用いることなく、クラウン１３の収納状態を保つことができる。
【００４８】
また、クラウン１３を折り畳むことによってサンバイザーとして用いることにより、使用者の頭部に熱がこもることを防止することができる。この点について、クラウン１３を折り畳むことができない構成の他の帽子では、例えば、保冷剤を入れる、水に浸すといった、暑くならないための策を講じる必要があるのに対して、本実施の形態に係る帽子１０では、そのような策を講じる必要がなくなる。
【００４９】
（他の実施の形態）
（１）  上述の実施の形態においては、クラウン１３を帽子１０の内側に巻き取るように折り畳む場合について述べたが、これに限られるものではなく、例えば、図２２（ａ）〜図２２（ｃ）に示すように、外側へ巻き取るように折り畳むようにすることもできる。
【００５０】
図２２（ａ）は、クラウン１３の後部１３Ｂを外側へ１回目の折畳みが行われた状態を示す。この状態においては、折り返されたクラウン１３の後部１３Ｂは、クラウン１３の前方（前部１３Ａ）の外側へ折り返された状態となる。
【００５１】
１回目の折畳みにより生じた折り目１３Ｃを、さらに外側へ折り返すことにより、２回目の折り畳みを行う（図２２（ｂ））。この場合、１回目の折り目１３Ｃは、クラウン１３の前方の外側へ折り返された状態となる。
【００５２】
この状態において、２回目の折畳みにより生じた折り目１３Ｄを、さらに外側へ折り返すことにより、３回目の折畳みを行う（図２２（ｃ））。この場合、折り返されたクラウン１３の２回目の折り目１３Ｄは、クラウン１３の前方の外側へ折り返された状態となる。
【００５３】
かくして、図２３に示すように、クラウン１３は、その前部１３Ａにおいて、外側に巻き取るように折り畳まれる。図２２及び図２３に示すように、クラウン１３を外側へ巻取り状に折り畳むことにより、クラウン折畳み状態とすることができる。
【００５４】
（２）  上述の実施の形態においては、囲繞部としてバンド１１を用いる場合について述べたが、これに限られるものではなく、バンド１１を省略した構成としてもよい。図２４は、バンド１１を省略した構成の帽子１０を示す断面図である。
【００５５】
図２４に示すように、この構成の帽子１０においては、使用者の側頭部から後頭部（頭部の略後半分）を囲繞するすべり１５の左右両端部ＡＲ２１にクラウン１３が縫合される。クラウン１３の前部１３Ａには、ひさし１２及びパッド２３が縫合される。
【００５６】
図２４に示す帽子１０においては、クラウン１３の前部１３Ａ及びすべり１５によって、使用者の頭部を囲繞する円環形状の囲繞部が構成される。すべり１５とクラウン１３とは、すべり１５の左右両端部ＡＲ２１のみで縫合されており、クラウン１３の後部１３Ｂとすべり１５とは縫合されていない。これにより、上述の実施の形態に係る帽子１０と同様に、クラウン１３を、その後部１３Ｂから前方に巻取り状に折り畳むことができる。
【００５７】
このように、バンド１１を用いない構成においても、すべり１５とクラウン１３の前部１３Ａとによって囲繞部を構成することができ、これにより、クラウン１３をクラウン折畳み状態又はクラウン使用状態として使用することができる。
【００５８】
（３）  上述の実施の形態においては、クラウン１３の前部１３Ａをバンド１１に結合する場合について述べたが、これに限られるものではなく、前部１３Ａだけでなく、例えば、使用者の額から側頭部に亘る前半部分において、クラウン１３とバンド１１を結合するようにしてもよく、要は、クラウン１３の後ろの一定範囲をバンド１１と結合しない構成とすることにより、クラウン１３を後部１３Ｂから前方に向かって巻取り状に折り畳むことができる。
【００５９】
（４）  上述の実施の形態においては、バンド１１にＶ字状の切欠部１１Ｂを形成する場合について述べたが、これに限られるものではなく、例えば、Ｕ字状又は２本の平行線による切欠部を形成するようにしてもよい。また、切欠きに代えて、線状の切れ込みを形成するようにしてもよい。これらの構成においても、バンド１１に皺がよることを抑制することができる。
【００６０】
（５）  上述の実施の形態においては、図１７（ａ）に示したように、１回目の折畳みが行われた際に、クラウン１３の後部１３Ｂを単に折り返すようにしたが、１回目の折畳みにおいて（図１７（ａ））、クラウン１３の後部１３Ｂと、クラウン１３の前部１３Ａとが接する部位に、ホックを設けて、後部１３Ｂと前部１３Ａとを折畳み状態で固定するようにしてもよい。このようにすれば、１回目の折畳みの位置（折り目１３Ｃ）を容易に把握することができる。
【００６１】
（６）  上述の実施の形態においては、クラウン１３の前部１３Ａとバンド１１との間に、上部が開いたＶ字状の空隙が形成されるようにしたが、これに限られるものではなく、クラウン１３の前部１３Ａとひさし１２との縫合部を、ひさし１２とバンド１１との縫合部よりも前方にずらすようにすることで、クラウン１３の前部１３Ａとバンド１１との間に、クラウン１３の前部１３Ａとバンド１１とが略平行となる空隙を形成するようにしてもよい。このようにすれば、折り畳まれたクラウン１３を収納するための空隙をより大きくとることができ、収納し易くすることが可能となる。
【００６２】
（７）  上述の実施の形態においては、クラウン１３を折り畳んで前方に収納する際に、折り畳まれたクラウン１３を、単に、前部１３Ａとバンド１１との間の空隙に収納する場合について述べたが、これに限られるものではなく、折り畳まれたクラウン１３の左右両端部１３Ｃ（図７）を、バンド１１の左右両側部にそれぞれ固定する固定手段を設けるようにしてもよい。
【００６３】
固定手段としては、折り畳まれたクラウン１３の両端部１３Ｃと、これに対向するバンド１１の左右両側部に互いに係合可能なホックを設ける構成、バンド１１の左右両側部にそれぞれ帯状の布材（又はその他の材質のもの）を上下方向に架け渡すように取り付け、この帯状の布材とバンド１１との間に、折り畳まれたクラウン１３の左右両端部１３Ｃをそれぞれ挿入する構成、バンド１１の一部に、折り畳まれたクラウン１３の両端部１３Ｃを挿入可能な切れ込みを設ける構成などを用いることができる。
【００６４】
折り畳まれたクラウン１３の両端部１３Ｃを固定手段によりバンド１１に固定することにより、両端部１３Ｃが左右に膨らむ状態となることを回避することができ、これにより、クラウン１３を折り畳んだ際の帽子１０のデザイン性を向上させることができる。
【００６５】
（８）  上述の実施の形態においては、本発明をゴルフ等のスポーツにおいて使用される帽子に適用する場合について述べたが、これに限られるものではなく、野外活動を行う際に使用される帽子に広く適用することができる。
【００６６】
（帽子の概要）
本発明の実施の形態における帽子１０は、使用者の頭部を囲繞する囲繞部（バンド１１）と、前記囲繞部（バンド１１）に結合されたひさし１２と、前記ひさし１２及び前記囲繞部（バンド１１）又はそれらのいずれかに一部が結合された折り畳み可能なクラウン１３とを備え、前記ひさし１２及び前記囲繞部（バンド１１）又はそれらのいずれかと前記クラウン１３との結合部は、前記使用者の額から側頭部に亘る範囲に対応する領域に設けられ、前記クラウン１３は、前記ひさし１２及び前記囲繞部（バンド１１）又はそれらのいずれかとの結合部に向かって巻取り状に折り畳み可能であることを特徴とする。
【００６７】
この構成においては、クラウン１３とひさし１２及び囲繞部（バンド１１）又はそれらのいずれかとの結合部が、使用者の額から側頭部に亘る範囲に対応する曲線状の領域に設けられ、さらにクラウン１３を巻取り状に折り畳むことができることにより、特別な止め具を用いることなく、巻き取られたクラウン１３の収納状態を保持することができる。
【００６８】
また、本実施の形態における帽子１０は、上記構成において、前記クラウン１３と前記囲繞部（バンド１１）との間には、前記折り畳まれたクラウン１３を収納する空隙が形成されることを特徴とする。
【００６９】
この構成においては、折り畳まれたクラウン１３を、囲繞部（バンド１１）とクラウン１３との間に形成される空隙に収納することができ、特別な部材を用いることなく、収納部を確保することができる。
【００７０】
また、本実施の形態における帽子１０は、上記構成において、前記クラウン１３の前記ひさし１２及び前記囲繞部（バンド１１）又はそれらのいずれかとの結合部から前記使用者の前頭部に対応する所定範囲に亘って、前記クラウン１３に併設される硬質部（パッド２３）が設けられていることを特徴とする。
【００７１】
この構成においては、クラウン１３のひさし１２及び囲繞部（バンド１１）又はそれらのいずれかとの結合部から所定範囲に亘って硬質部（パッド２３）が設けられることにより、折り畳んだクラウン１３を硬質部（パッド２３）に沿うように容易に収納することができる。
【００７２】
また、クラウン１３に設けられた硬質部（パッド２３）がクラウン１３を折り畳んだ際の形状を決定することとなり、クラウン１３を折り畳んでサンバイザーとして使用する際の形状を、予め定められた所定の形状とすることができる。
【００７３】
また、本実施の形態における帽子１０は、上記構成において、前記囲繞部（バンド１１）には、前記クラウン１３が折り畳まれて収納される空間に沿う部位に、切れ込み部（切欠部１１Ｂ）が形成されていることを特徴とする。
【００７４】
この構成においては、クラウン１３を折り畳んだ際に、当該クラウン１３に囲繞部（バンド１１）が押されることによって囲繞部（バンド１１）に皺がよることを防止することができる。
【符号の説明】
【００７５】
１０  帽子
１１  バンド
１１Ｂ  切欠部
１２  ひさし
１３  クラウン
１３Ａ  前部
１３Ｂ  後部
１４  調整部
１５  すべり
【図１】
2012162827.tif 000003
【図２】
2012162827.tif 000004
【図３】
2012162827.tif 000005
【図４】
2012162827.tif 000006
【図５】
2012162827.tif 000007
【図６】
2012162827.tif 000008
【図７】
2012162827.tif 000009
【図８】
2012162827.tif 000010
【図９】
2012162827.tif 000011
【図１０】
2012162827.tif 000012
【図１１】
2012162827.tif 000013
【図１２】
2012162827.tif 000014
【図１３】
2012162827.tif 000015
【図１４】
2012162827.tif 000016
【図１５】
2012162827.tif 000017
【図１６】
2012162827.tif 000018
【図１７】
2012162827.tif 000019
【図１８】
2012162827.tif 000020
【図１９】
2012162827.tif 000021
【図２０】
2012162827.tif 000022
【図２１】
2012162827.tif 000023
【図２２】
2012162827.tif 000024
【図２３】
2012162827.tif 000025
【図２４】
2012162827.tif 000026